(57)【要約】【課題】汚水処理装置の規模を大幅に拡大する必要がなく、しかも発生汚水量が大幅に増加する休日にも、処理水質の悪化を引き起こすことがない休憩施設における汚水処理方法を提供する。【解決手段】休憩施設で発生した汚水を曝気槽３と沈殿槽４とを備えた汚水処理設備により処理する休憩施設の汚水処理方法である。汚水処理設備の処理能力を越える汚水が発生した休日等には、余剰の汚水を流量調整槽１，２に貯留したうえ、２４時間タイマー２３により設定されたタイミングで間欠的に汚水処理設備に送水し、翌日以降にも分割処理する。【選択図】  図１
2005000727.tif 000002
【特許請求の範囲】
【請求項１】
休憩施設で発生した汚水を曝気槽と沈殿槽とを備えた汚水処理設備により処理する休憩施設の汚水処理方法において、汚水処理設備の処理能力を越える汚水が発生した日には余剰の汚水を流量調整槽に貯留したうえ、２４時間タイマーにより設定されたタイミングで間欠的に汚水処理設備に送水し、翌日以降にも分割処理することを特徴とする休憩施設における汚水処理方法。
【請求項２】
流量調整槽を第１の流量調整槽と、第１の流量調整槽からオーバーフローした汚水が流入する第２の流量調整槽とからなるものとし、各流量調整槽の水位をフロート制御する請求項１に記載の休憩施設における汚水処理方法。
【請求項３】
２４時間タイマーの設定を平日と休日とで変更する請求項１に記載の休憩施設における汚水処理方法。
【発明の詳細な説明】
【０００１】
【発明の属する技術分野】
本発明は、高速道路のサービスエリア等の休憩施設における汚水処理方法に関するものである。
【０００２】
【従来の技術】
【特許文献１】特開平９−２２０５９５号公報
【０００３】
高速道路のサービスエリア、パーキングエリア等の休憩施設から排出されるトイレ等の汚水は、その施設内に設置された汚水処理装置で処理されている。図３は従来の休憩施設における汚水処理方法の一例を示すものである。休憩施設で発生した汚水は流量調整槽２５に貯留され、水位が起動フロート２８を越えると移送ポンプ３０が汚水を曝気槽２６に移送する。曝気槽２６において有機物が消化された汚水は沈殿槽２７に送られて消化汚泥を沈降させ、上澄水は処理水として放流される。
【０００４】
平日は汚水の発生量は少ないため、移送ポンプ３０が起動すると流量調整槽２５の水位は次第に下がり、停止フロート２９の水位に達すると曝気槽２６への送水は停止する。このため曝気槽２６と沈殿槽２７とからなる汚水処理装置は、余裕を持って働き、処理水質を所定レベル以上に維持することができる。
【０００５】
ところがゴールデンウイークなどの休日には、休憩施設で発生する汚水量は処理能力を大幅に越えて増加するため、流量調整槽２５の水位は常に起動フロート２８以上となる。このため移送ポンプ３０は常に汚水を汚水処理装置に送り続けるが、汚水処理装置は処理能力を越えた汚水を十分に処理することができない。特に休憩施設で発生する汚水には紙などの繊維質が多いために汚泥の沈降性が悪く、汚泥を含んだままの汚水が放流されてしまい、処理水質の悪化を引き起こしていた。
【０００６】
なお、休日の最大発生汚水量に合わせて汚水処理装置を設置することは、経済性の面から困難である。また上記の特許文献１には設計水量を越える汚水の流入時における対応策が記載されているが、大規模な下水処理場に関するものであって、本発明のような休憩施設における小規模な汚水処理方法とは異質の技術である。
【０００７】
【発明が解決しようとする課題】
本発明は前記のような問題点を解決し、汚水処理装置の規模を大幅に拡大する必要がなく、しかも発生汚水量が大幅に増加する休日にも、処理水質の悪化を引き起こすことがない休憩施設における汚水処理方法を提供するためになされたものである。
【０００８】
【課題を解決するための手段】
上記の課題を解決するためになされた本発明は、休憩施設で発生した汚水を曝気槽と沈殿槽とを備えた汚水処理設備により処理する休憩施設の汚水処理方法において、汚水処理設備の処理能力を越える汚水が発生した日には余剰の汚水を流量調整槽に貯留したうえ、２４時間タイマーにより設定されたタイミングで間欠的に汚水処理設備に送水し、翌日以降にも分割処理することを特徴とするものである。なお、流量調整槽を第１の流量調整槽と、第１の流量調整槽からオーバーフローした汚水が流入する第２の流量調整槽とからなるものとし、各流量調整槽の水位をフロート制御することが好ましい。また２４時間タイマーの設定を平日と休日とで変更することが好ましい。
【０００９】
本発明の休憩施設における汚水処理方法によれば、汚水処理設備の処理能力を越える汚水が発生した休日等には余剰の汚水を流量調整槽に貯留したうえ、２４時間タイマーにより設定されたタイミングで間欠的に汚水処理設備に送水し、当日の深夜から処理能力に余裕のある翌日以降にかけて徐々に分割処理する。このため、汚水処理装置の規模を大幅に拡大しなくても処理水質の悪化を引き起こすことがない。
【００１０】
【発明の実施の形態】
以下に図面を参照しつつ、本発明の実施形態を説明する。
図１は本発明の汚水処理方法に用いられる装置の一例を示す回路図であり、１は休憩施設で発生した汚水が流入する第１の流量調整槽、２は第２の流量調整槽、３は曝気槽、４は沈殿槽、５は制御装置である。第１の流量調整槽１と第２の流量調整槽２とはオーバーフロー管６により接続されており、第１の流量調整槽１の水位が上昇すると汚水が第２の流量調整槽２へ流入するようになっている。これらの第１の流量調整槽１と第２の流量調整槽２との容量は、休日に発生する汚水を２槽で一時的に貯留できるように設定しておく。
【００１１】
第１の流量調整槽１には、曝気槽３に汚水を移送する第１の移送ポンプ７と第２の移送ポンプ９が設けてある。また第１の流量調整槽１には、３個のフロートが異なる高さに設けてある。１１は停止フロート、１２は起動フロート、１３は２台運転フロートである。第１の流量調整槽１内の水位が起動フロート２のレベルに達すると第１の移送ポンプ７が運転を開始し、水位が停止フロート１１にまで低下すると運転を停止する。また水位が２台運転フロート１３に達すると、第２の移送ポンプ９も運転を開始する。
【００１２】
第２の流量調整槽２には、オーバーフロー管６を通じてオーバーフローしてきた汚水を、第２の流量調整槽２から第１の流量調整槽１に返送する第１の移送ポンプ８と第２の移送ポンプ１０とが設けてある。また４個のフロートが異なる高さに設けてある。１４は停止フロート、１５は起動フロート、１６は２台運転フロートでそれぞれの機能は前記と同様である。また１７は警報器２４用の満水フロートである。なお、１８は第１の流量調整槽１から曝気槽３に汚水を移送する配管の途中に設けた汚水計量装置である。
【００１３】
図２は制御装置５の構成例を示すもので、１９、２０，２１，２２はそれぞれ移送ポンプ７、８、９，１０への通電を制御する電磁開閉器であり、それぞれポンプ保護用のサーマルスイッチが付設してある。各サーマルスイッチの常閉接点１９ｂ、２０ｂ、２１ｂ及び２２ｂはそれぞれ電磁開閉器１９、２０、２１及び２２と直列に接続してある。なお１１ａ、１２ａ、１３ａ、１４ａ、１５ａ、１６ａ及び１７ａはそれぞれフロート１１、１２、１３、１４、１５、１６及び１７の接点であって、それぞれ動作時に閉路するものである。
【００１４】
制御装置５には自動運転モードにおいて作動する２４時間タイマー２３が接続してある。これは設定した時刻になると接点２３ａが閉路し、その後設定した時刻になると開路する動作を繰り返すものである。例えば、０時００分、３時３０分、７時００分、１０時３０分、１４時００分、１７時３０分、２１時００分に接点２３ａが閉路し、２時００分、５時３０分、９時００分、１２時３０分、１６時００分、１９時３０分、２３時００分に接点２３ａが開路するように設定しておく。この２４時間タイマー２３の設定は平日と休日とで容易に変更できるようにし、休日には閉路時間を平日よりも長めに設定しておくことが好ましい。
【００１５】
以下に本発明の休憩施設における汚水処理方法を説明する。
平日は第１の流量調整槽１に流入する汚水量が少ないため、従来どおりのフロート制御方式で汚水を曝気槽３に送り込んでも支障はない。しかし休日には多量の汚水が第１の流量調整槽１に流入するため、第１の流量調整槽１の水位は常に起動フロート１２以上となり、フロート制御方式では汚水処理装置の能力を越えてしまうことは前述のとおりである。
【００１６】
しかし、制御装置を自動運転モードに切り替えて２４時間タイマー２３を作動させると、第１の移送ポンプ７（及び第２の移送ポンプ９）による曝気槽３への送水は設定されたタイミングに従って間欠的に行われる。すなわち、汚水処理装置の能力を越えない量のみが曝気槽３に送り込まれ、余剰分は第１の流量調整槽１と第２の流量調整槽２とに一時的に貯留される。そして２４時間タイマー２３の設定に従って翌日以降にも間欠的に曝気槽３へ送水される。
【００１７】
曝気槽３で活性汚泥処理された汚水は沈殿槽４に送られて汚泥は沈降分離され、上澄水は放流される。また図１に示すように汚泥の一部を返送汚泥として曝気槽３に返送する。さらに第１の移送ポンプ７（及び第２の移送ポンプ９）が作動したときにのみ曝気槽３のブロワを動作させるようにすれば、ブロワ停止時には曝気槽３の酸素濃度が低下して脱窒が進行し、ある程度の窒素除去効果を得ることもできる。
【００１８】
なお、平日にも２４時間タイマー２３による制御をそのまま利用しても差し支えない。また２４時間タイマー２３は実質的にその機能を発揮できるものであれば、任意の形式のものを使用することができる。
【００１９】
【発明の効果】
本発明は前記説明から明らかなように、汚水処理設備の処理能力を越える汚水が発生した休日等には余剰の汚水を流量調整槽に貯留したうえ、２４時間タイマーにより設定されたタイミングで間欠的に汚水処理設備に送水し、当日深夜から翌日以降にかけて徐々に分割処理するようにしたので、従来のように一定時間以上連続して汚水が移送されることがなく、沈殿槽から沈降の進んでいない汚泥が流出することがない。また第１の流量調整槽及び第２の流量調整槽の容量さえ適切に設計しておけば、ピーク時対応のために曝気槽、沈殿槽の容量を過大とする必要がないなどの大きな利点がある。
【図面の簡単な説明】
【図１】本発明の実施形態の説明図である。
【図２】制御装置の構成例を示す制御回路図である。
【図３】従来の汚水処理方法の説明図である。
【符号の説明】
１  第１の流量調整槽
２  第２の流量調整槽
３  曝気槽
４  沈殿槽
５  制御装置
６  オーバーフロー配管
７  第１の移送ポンプ
８  第１の移送ポンプ
９  第２の移送ポンプ
１０  第２の移送ポンプ
１１、１２、１３、１４、１５、１６、１７  液面検出用のフロート
１１ａ、１２ａ、１３ａ、１４ａ、１５ａ、１６ａ、１７ａ  接点
１８  計量装置
１９、２０、２１、２２  電磁開閉器
１９ａ、２０ａ、２１ａ、２２ａ  常開接点
１９ｂ、２０ｂ、２１ｂ、２２ｂ  常閉接点
２３  ２４時間タイマー
２３ａ  接点
２４  警報器
【図１】
2005000727.tif 000003
【図２】
2005000727.tif 000004
【図３】
2005000727.tif 000005